(57)【特許請求の範囲】
【請求項１】
遊技媒体を使用する遊技機と、該遊技媒体を払い出す貸し機と、紙幣の払出機能を有した精算機と、前記貸し機と前記精算機に対してデータの送受が可能な管理コンピュータと、を備えた遊技ホールにて用いられる遊技方法であって、
各種情報が電子データによって読み書き可能となったＩＣコインを内部に貯留している前記貸し機へ紙幣を挿入して該貸し機から購入分の遊技媒体を払い出す処理と、
挿入した紙幣の金額から購入した遊技媒体の金額を差し引いた金額データが書き込まれたＩＣコインを、前記貸し機から払い出す処理と、
該ＩＣコインの払い出し時に、該ＩＣコインへの金額データ及び固有の識別データの書き込み並びに前記金額データ及び前記識別データの前記管理コンピュータへの書き込みを行う処理と、
前記ＩＣコインが前記貸し機に投入された時に、該ＩＣコインに書き込まれている識別データと前記管理コンピュータに書き込まれている識別データとを照合して、一定の条件を満たしたときに該ＩＣコインに書き込まれている金額データに相当する分の前記遊技媒体を払い出す処理と、
遊技終了時に、残った前記ＩＣコインが前記精算機に投入された時に、該ＩＣコインに書き込まれている識別データと前記管理コンピュータに書き込まれている識別データとを照合して、一定の条件を満たしたときに該ＩＣコインに書き込まれている金額データに相当する分の紙幣を払い出す処理とを含み、
前記ＩＣコインが前記貸し機または前記精算機に投入された時に、前記管理コンピュータに蓄積しておいた識別データとの照合により、前記遊技ホールにおける貸し機から払い出された以外のＩＣコインを不正なＩＣコインであると判定する
ことを特徴とする遊技方法。
【請求項２】
各種情報が電子データによって読み書き可能となったＩＣコインと、
紙幣及び前記ＩＣコインの受付機能と遊技媒体及び前記ＩＣコインの払出機能とを有し、指定購入金額に応じた遊技媒体を払い出すとともに、挿入した紙幣の金額又はＩＣコインの金額データの額から購入した前記遊技媒体の金額を差し引いた分の金額データ及び固有の識別データを内部に貯留している前記ＩＣコインに書き込んで払い出し、且つ該ＩＣコインに書き込まれている識別データが通信機能により送出可能となった貸し機と、
前記ＩＣコインの受付機能を有し、投入された該ＩＣコインの金額データの額に相当する紙幣を払い出し、且つ該ＩＣコインに書き込まれている識別データが通信機能により送出可能な精算機と、
前記貸し機と前記精算機に対してデータの送受が可能な通信機能を有し、前記貸し機から前記ＩＣコインを払い出した時に該ＩＣコインに書き込まれた識別データと前記貸し機または前記精算機に投入されたＩＣコインに書き込まれている識別データとの照合を行う管理コンピュータとを具備し、
前記遊技媒体を使用する遊技機を備えた遊技ホールにて用いられる遊技システムであって、
前記ＩＣコインが前記貸し機または前記精算機に投入された時に、前記管理コンピュータに蓄積しておいた識別データとの照合により、前記遊技ホールにおける貸し機から払い出された以外のＩＣコインを不正なＩＣコインであると判定するように構成されている
ことを特徴とする遊技システム。
【発明の詳細な説明】
【０００１】
【発明の属する技術分野】
本発明は、貸し機に紙幣を挿入し、この貸し機から払い出された遊技媒体を使用して遊技を行う遊技方法及び遊技システムに関する。
【０００２】
【従来の技術】
遊技媒体であるパチンコ玉やメダルを使用する遊技機を備えたホールでは、これら遊技媒体を払い出す玉貸し機やメダル貸し機が備えられている。この貸し機は、サンドと称されそれぞれの遊技機同士の間に介装される。
従来、これらの貸し機は、一般的に千円札のみの使用が可能となっている。遊技者は、この貸し機に千円紙幣を挿入することで、金額に応じた遊技媒体を貸し機から払い出させることができる。
また、貸し機には、予め購入した金額を磁気情報として記憶させた所謂プリペイドカードが使用可能なものがある。この種の貸し機では、プリペイドカードに記憶されている残高の範囲で遊技媒体の払い出しが行え、遊技媒体の払い出し後には、その分の相当金額が減額されて新たな残高となってプリペイドカードに記憶されるようになっている。
【０００３】
【発明が解決しようとする課題】
しかしながら、従来の千円札のみしか使用できない貸し機は、多数の遊技媒体を購入する際に不便があった。この種の貸し機が、千円札のみしか使用できないようになされていた理由の一つに、釣り銭の問題があった。即ち、例えば高額紙幣の使用を可能にしたり、或いは貨幣の使用を可能にした場合には、貸し機に通貨の判別機構や通貨ごとの収容スペースを確保しなければならず、装置が肥大化する問題があった。
一方、プリペイドカードによる遊技媒体の払い出しを可能にした貸し機の場合には、プリペイドカードに書き込まれる残高金額を不正に書換えることで、貸し機から遊技媒体が詐取されたり、或いは釣り銭を通貨として払い出す場合には釣り銭が詐取される不安が残った。
本発明は上記状況に鑑みてなされたもので、不正な遊技媒体の払い出しや、精算時における不正な釣り銭の詐取を確実に防止することができ、且つ貸し機を肥大化させることなく、各種の紙幣が使用可能になる遊技方法及び遊技システムを提供することを目的とする。
【０００４】
【課題を解決するための手段】
上記目的を達成するための本発明に係る請求項１記載の遊技方法は、遊技媒体を使用する遊技機と、該遊技媒体を払い出す貸し機と、紙幣の払出機能を有した精算機と、前記貸し機と前記精算機に対してデータの送受が可能な管理コンピュータと、を備えた遊技ホールにて用いられる遊技方法であって、各種情報が電子データによって読み書き可能となったＩＣコインを内部に貯留している前記貸し機へ紙幣を挿入して該貸し機から購入分の遊技媒体を払い出す処理と、挿入した紙幣の金額から購入した遊技媒体の金額を差し引いた金額データが書き込まれたＩＣコインを、前記貸し機から払い出す処理と、該ＩＣコインの払い出し時に、該ＩＣコインへの金額データ及び固有の識別データの書き込み並びに前記金額データ及び前記識別データの前記管理コンピュータへの書き込みを行う処理と、前記ＩＣコインが前記貸し機に投入された時に、該ＩＣコインに書き込まれている識別データと前記管理コンピュータに書き込まれている識別データとを照合して、一定の条件を満たしたときに該ＩＣコインに書き込まれている金額データに相当する分の前記遊技媒体を払い出す処理と、遊技終了時に、残った前記ＩＣコインが前記精算機に投入された時に、該ＩＣコインに書き込まれている識別データと前記管理コンピュータに書き込まれている識別データとを照合して、一定の条件を満たしたときに該ＩＣコインに書き込まれている金額データに相当する分の紙幣を払い出す処理とを含み、前記ＩＣコインが前記貸し機または前記精算機に投入された時に、前記管理コンピュータに蓄積しておいた識別データとの照合により、前記遊技ホールにおける貸し機から払い出された以外のＩＣコインを不正なＩＣコインであると判定することを特徴とする。
【０００５】
この遊技方法では、ＩＣコインを用いた遊技媒体の購入時、或いは精算時に、その際投入されたＩＣコインに書き込まれた固有のデータと、貸し機によりこのＩＣコインを払い出した時に管理コンピュータに蓄積しておいた該当ＩＣコインのデータとの照合が行える。従って、貸し機から払い出された以外のＩＣコインには、固有の識別データが書き込まれていないので、管理コンピュータに蓄積しておいたデータとの照合により容易に不正なＩＣコイン（即ち、貸し機より正規に払い出されていないＩＣコイン）であることが判定可能になる。これにより、偽造コイン等を使用した不正な遊技媒体の払い出しや、精算時における不正な釣り銭の詐取が確実に防止される。
【０００６】
請求項２に係る遊技システムは、各種情報が電子データによって読み書き可能となったＩＣコインと、紙幣及び前記ＩＣコインの受付機能と遊技媒体及び前記ＩＣコインの払出機能とを有し、指定購入金額に応じた遊技媒体を払い出すとともに、挿入した紙幣の金額又はＩＣコインの金額データの額から購入した前記遊技媒体の金額を差し引いた分の金額データ及び固有の識別データを内部に貯留している前記ＩＣコインに書き込んで払い出し、且つ該ＩＣコインに書き込まれている識別データが通信機能により送出可能となった貸し機と、前記ＩＣコインの受付機能を有し、投入された該ＩＣコインの金額データの額に相当する紙幣を払い出し、且つ該ＩＣコインに書き込まれている識別データが通信機能により送出可能な精算機と、前記貸し機と前記精算機に対してデータの送受が可能な通信機能を有し、前記貸し機から前記ＩＣコインを払い出した時に該ＩＣコインに書き込まれた識別データと前記貸し機または前記精算機に投入されたＩＣコインに書き込まれている識別データとの照合を行う管理コンピュータとを具備し、前記遊技媒体を使用する遊技機を備えた遊技ホールにて用いられる遊技システムであって、前記ＩＣコインが前記貸し機または前記精算機に投入された時に、前記管理コンピュータに蓄積しておいた識別データとの照合により、前記遊技ホールにおける貸し機から払い出された以外のＩＣコインを不正なＩＣコインであると判定するように構成されていることを特徴とする。
【０００７】
この遊技システムでは、ＩＣコイン払い出し時に書き込まれた固有の識別データが、遊技媒体購入時、又は精算時に確認可能となり、その遊技ホールにおける貸し機で払い出されたＩＣコインのみが有効となる。これにより、偽造コインの使用が確実に不能になる。また、貸し機は、一種類のＩＣコインのそれぞれに、固有の識別データを書き込んで払い出せればよい機構となるので、通常の複数種類の通貨を払い出す機構のものに比べて、通貨種類の判別機構や通貨種類ごとの収納部を設ける必要がなくなり、貸し機が簡素且つ小型になる。
【０００８】
【発明の実施の形態】
以下、本発明に係る遊技方法及び遊技システムの好適な実施の形態を図面を参照して詳細に説明する。
図１は本発明に係る遊技システムの構成図である。
【０００９】
遊技システム１は、貸し機Ａと、精算機Ｂと、管理コンピュータＣとをその主要な構成として有している。また、本実施の形態では、これら主要構成に加えて、島端中継機Ｄと、札搬送システムＥと、ハンディ端末Ｆとを有している。
【００１０】
貸し機Ａは、メダル貸し機Ａ１と、玉貸し機Ａ２とに分けられる。メダル貸し機Ａ１と玉貸し機Ａ２とは、払い出される遊技媒体がメダルか玉かが異なる他は、基本的な機能は同一となっている。この貸し機Ａは、１万円、５千円、２千円、千円札の受付機能を有している。また、メダル又は玉の払出機能を有している。更に、ＩＣコイン３の受付機能、払出機能を有している。また、管理コンピュータＣに対してデータを送受する通信機能を有している。
【００１１】
ＩＣコイン３は、例えば現行５００円硬貨と略同様の外形状に形成され、内部に、各種情報が電子データによって読み書き可能となったＩＣが内蔵される。
【００１２】
ＩＣコイン３の払出機能は、挿入した紙幣５の金額から購入した遊技媒体の金額を差し引いた金額データが書き込まれたＩＣコイン３を払い出す。この際、貸し機Ａは、払い出された個々のＩＣコイン３に対して固有の識別データを書き込むことができるようになっている。この固有の識別データとしては、例えば発行中か否かのデータ、精算済か否かのデータ、発行の日付け、時刻、払出サンド番号、島番号、当日に発行されたＩＣコイン３の連番等とすることができる。払い出し時にＩＣコイン３に書き込まれたこれらデータは、通信機能によって管理コンピュータＣへ送出される。
【００１３】
また、ＩＣコイン受付機能は、投入されたＩＣコイン３に書き込まれているデータを読み取り、指定購入金額に応じた遊技媒体を払い出す。この際、ＩＣコイン３の金額から購入した遊技媒体の金額を差し引いた金額データ及び固有の識別データが書き込まれたＩＣコイン３が払い出される。ＩＣコイン３の金額と、購入した遊技媒体の金額とが一致する場合には、ＩＣコイン３の払い出しはない。ＩＣコイン３の受付時に、払い出されたメダル数、及び払い出されるＩＣコイン３に書き込まれたデータは、通信機能によって管理コンピュータＣへ送出される。
【００１４】
精算機Ｂは、ＩＣコイン３の受付機能を有している。また、千円札の払出機能を有している。更に、管理コンピュータＣに対してデータを送受する通信機能を有している。また、投入されたＩＣコイン３や、払い出された紙幣の集計機能を有している。
【００１５】
精算機Ｂは、投入されたＩＣコイン３の金額に相当する紙幣を払い出す。この際、投入されたＩＣコイン３に書き込まれた金額データ及び固有の識別データは管理コンピュータＣへ送出される。
【００１６】
管理コンピュータＣは、貸し機Ａ及び精算機Ｂに接続され、貸し機Ａと精算機Ｂに対してデータの送受が可能となっている。この実施の形態のように、メダル貸し機Ａ１と、玉貸し機Ａ２とは、それぞれ島端中継機Ｄを介して管理コンピュータＣに接続されてもよい。管理コンピュータＣは、貸し機ＡからＩＣコイン３を払い出した時にこのＩＣコイン３に書き込まれたデータと、貸し機Ａ及び精算機Ｂに投入されたＩＣコイン３に書き込まれたデータとの比較を行う。
【００１７】
即ち、貸し機ＡからＩＣコイン３を払い出した時には、そのＩＣコイン３ごとに、固有の識別データが書き込まれる。このデータは、上述したように、同時に管理コンピュータＣへ送られて管理コンピュータＣ内のメモリに格納される。そして、貸し機Ａ及び精算機Ｂに投入されたＩＣコイン３は、書き込まれたデータが読み取られ、その読み取ったデータが、貸し機Ａから払い出された時に書き込まれた管理コンピュータＣ内の格納データと照合される。この照合は、リアルタイムに行われる。つまり、貸し機Ａから払い出された以外の不正なＩＣコイン３が使用されれば、その時点で発報等の手段によりその事実が分かるようになっている。つまり、精算状態の監視機能を有している。
【００１８】
この他、管理コンピュータＣは、貸し機Ａ、精算機Ｂへの設定機能、払い出したＩＣコイン３や紙幣の集計機能を有する。
【００１９】
島端中継機Ｄは、遊技媒体の種類ごとに複数の遊技機が設置された所謂島ごとに設けられ、基本的には、管理コンピュータＣと各貸し機Ａとの間で送受されるデータの中継を行う。また、島端中継機Ｄは、その島単位での貸し機Ａへの設定機能、及び投入されたＩＣコイン３や、払い出された遊技媒体の集計機能を有している。
【００２０】
札搬送システムＥは、各貸し機Ａと、図示しない紙幣収容箱等との間に亘って設けられ、紙幣を貸し機Ａから紙幣収容箱へ搬送する紙幣搬送手段を有している。従って、各貸し機Ａに挿入された紙幣は、紙幣搬送手段によって紙幣収容箱に集められるようになっている。
【００２１】
ハンディ端末Ｆは、例えばホール内に落ちていたＩＣコイン３のデータ状態を簡便に確認できる機能を有している。このデータ確認機能は、例えば発行中のＩＣコイン３であるか否か、或いは精算済みのＩＣコイン３であるか否か、或いは発行の日付け、時刻等のデータが確認できるようになっている。
【００２２】
次に、このように構成された遊技システム１を用いての遊技方法を図２を参照して説明する。
図２は本発明に係る遊技方法の処理手順を説明する流れ図である。
【００２３】
遊技者は、先ず、貸し機Ａへ紙幣を挿入して（ｓｔ．１）、貸し機Ａから購入分の遊技媒体（メダル又はパチンコ玉）を払い出す（ｓｔ．３）。
すると、貸し機Ａからは、挿入した紙幣の金額から購入した遊技媒体の金額を差し引いた金額分のＩＣコイン３が払い出される（ｓｔ．５）。
【００２４】
このＩＣコイン３の払い出しと同時に、処理イがなされる。即ち、処理イでは、ＩＣコイン３の払い出し時に、このＩＣコイン３へのデータの書き込み、及び同データの管理コンピュータＣへの書き込みを行う。
【００２５】
購入した遊技媒体を遊技機に投入して遊技を行った結果、遊技媒体の全てが消費された場合、遊技者は、（ｓｔ．５）で払い出されたＩＣコイン３を貸し機Ａに投入して遊技媒体の払い出しを行う（ｓｔ．７）。この遊技媒体の払い出しと同時に、処理ロがなされる。即ち、処理ロでは、ＩＣコイン３が貸し機Ａに投入された時に、ＩＣコイン３に書き込まれたデータと、管理コンピュータＣに書き込まれたデータとを比較する。そして、一定の条件を満たしたときに、投入されたＩＣコイン３に相当する金額範囲内で遊技媒体を払い出す。
【００２６】
遊技終了時に、残ったＩＣコイン３は、精算機Ｂに投入する（ｓｔ．９）。この時に、処理ロがなされる。即ち、処理ロでは、ＩＣコイン３が精算機Ｂに投入された時に、ＩＣコイン３に書き込まれたデータと、管理コンピュータＣに書き込まれたデータとを比較する。そして、一定の条件を満たしたときに、ＩＣコイン３に相当する分の紙幣を払い出す（ｓｔ．１１）。
【００２７】
最後に、精算機Ｂに回収されたＩＣコイン３のデータを消去し、遊技システム１における遊技を終了させる。
【００２８】
このように、上述した遊技システム１を用いた遊技方法によれば、ＩＣコイン３を用いた遊技媒体の購入時、或いは精算時に、ＩＣコイン３に書き込まれた固有のデータと、貸し機ＡによりこのＩＣコイン３を払い出した時に管理コンピュータＣに蓄積しておいた該当ＩＣコイン３のデータとの照合が行える。従って、貸し機Ａから払い出された以外のＩＣコイン３には、固有の識別データが書き込まれていないので、管理コンピュータＣに蓄積しておいたデータとの照合により容易に不正なＩＣコイン３（即ち、貸し機Ａより正規に払い出されていないＩＣコイン）であることが判定可能になる。これにより、偽造コイン等を使用した不正な遊技媒体の払い出しや、精算時における不正な釣り銭の詐取が確実に防止できる。
【００２９】
また、貸し機Ａは、一種類のＩＣコイン３のそれぞれに、固有の識別データを書き込んで払い出せればよい機構となるので、通常の複数種類の通貨を払い出す機構のものに比べて、通貨種類の判別機構や通貨種類ごとの収納部を設ける必要がなくなり、各種の紙幣の使用を可能にする一方、貸し機Ａを簡素且つ小型にすることができる。
【００３０】
なお、上述の実施の形態では、ＩＣコイン３の払い出し時、遊技媒体購入金額分をＩＣコイン３のデータから減算して再度払い出す場合を例に説明したが、ＩＣコイン３は、一枚を定額に固定し、金額に応じて払い出し枚数を変えるものであってもよい。
【００３１】
また、管理コンピュータＣの動作不能時、或いは各通信が行えない場合には、貸し機Ａは、千円札のみの受付を可能とし、ＩＣコイン３の払い出しを禁止するよう遊技システム１を動作させることが好ましい。また、このような事態に備えて、精算機Ｂは、手動にてオフライン精算モードに移行可能とし、ＩＣコイン３のデータ読み取りのみで精算が行えるようにしておくことが好ましい。
さらに本発明の実施例としてＩＣコイルは、硬貨と略同様の外形状に形成されているが、この形に限定されることなく、例えばカード形や通常のメダル形のものであってもよい。
【００３２】
【発明の効果】
以上詳細に説明したように、本発明に係る遊技方法は、挿入した紙幣の金額から購入した遊技媒体の金額を差し引いた金額分のＩＣコインを、貸し機から払い出し、ＩＣコインが貸し機又は精算機に投入された時には、ＩＣコインに書き込まれたデータと管理コンピュータに書き込まれたデータとを比較して、一定の条件を満たしたときにＩＣコインに相当する分の遊技媒体又は紙幣を払い出すようにしたので、ＩＣコインを用いた遊技媒体の購入時、或いは精算時に、そのＩＣコイン固有のデータと、管理コンピュータに蓄積しておいた該当ＩＣコインとの照合が行え、偽造コイン等を使用した不正な遊技媒体の払い出しや、精算時における不正な釣り銭の詐取を確実に防止することができる。
【００３３】
本発明に係る遊技システムは、挿入した紙幣又はＩＣコインの金額から購入した遊技媒体の金額を差し引いた金額データ及び固有の識別データが書き込まれたＩＣコインを払い出す貸し機と、投入されたＩＣコインの金額に相当する紙幣を払い出す精算機と、貸し機からＩＣコインを払い出した時にＩＣコインに書き込まれたデータと貸し機及び精算機に投入されたＩＣコインに書き込まれたデータとを比較する管理コンピュータとを備えたので、ＩＣコイン払い出し時に書き込んだ固有の識別データが、遊技媒体購入時、精算時に確認可能となる。つまり、その遊技ホールにおける貸し機で払い出されたＩＣコインのみが有効となり、偽造コインの使用を確実に不能にすることができる。また、貸し機は、一種類のＩＣコインを払い出せればよい機構となるので、各種紙幣の使用が可能になり、且つ通常の複数種類の通貨を払い出す機構のものに比べて装置を簡素且つ小型にすることができる。
【図面の簡単な説明】
【図１】本発明に係る遊技システムの構成図である。
【図２】本発明に係る遊技方法の処理手順を説明する流れ図である。
【符号の説明】
１…遊技システム、３…ＩＣコイン、５…紙幣、Ａ…貸し機、Ｂ…精算機、Ｃ…管理コンピュータ
【図１】
0003770461.tif 000002
【図２】
0003770461.tif 000003